(57)【要約】【課題】  少ない労力で、後面が建物等に近接して設置されたガバナボックスの後側からガス整圧器のメンテナンス作業を可能にする。【解決手段】  ガバナボックス１は、基台８０上に設置されたガス整圧器９０の周囲を囲むサイドパネル３，４，５，６及びガス整圧器９０の上部を覆うルーフパネル１０を有してガス整圧器９０を収納する。サイドパネルの内側には上下方向に伸縮可能に取り付けられたエアシリンダ３０，３１，３２，３３が設けられ、これらのエアシリンダによってガバナボックス１を上昇させてガス整圧器９０の前後左右のいずれの面を露出させる。サイドパネルのうちガス整圧器の前面に対向配置されるフロントパネル６は、ガス整圧器９０の側面に配置されるサイドパネル５に着脱可能に取り付けられ、ガバナボックス１を上昇させるときにはフロントパネル６はサイドパネル５から取り外される。【選択図】  図１
2006322647.tif 000002
【特許請求の範囲】
【請求項１】
基台上に設置されたガス整圧器の周囲を囲むサイドパネル及び該ガス整圧器の上部を覆うルーフパネルを有して前記ガス整圧器を収納するガバナボックスであって、
前記サイドパネルの内側に上下方向に伸縮可能に取り付けられた伸縮アクチュエータを備え、
該伸縮アクチュエータによって前記ガバナボックスを上昇させて前記ガス整圧器の前後左右のいずれかの面を露出させることを特徴とするガバナボックス。
【請求項２】
前記サイドパネルのうち前記ガス整圧器の前面に対向配置されるフロントパネルは、該ガス整圧器の側面に配置されるサイドパネルに着脱可能に取り付けられ、前記ガバナボックスを上昇させるときには前記フロントパネルは前記サイドパネルから取り外されることを特徴とする請求項１に記載のガバナボックス。
【請求項３】
前記伸縮アクチュエータは、エアシリンダであることを特徴とする請求項１又は２に記載のガバナボックス。
【発明の詳細な説明】
【技術分野】
【０００１】
本発明は、屋外に設けられた基台上に設置されたガス整圧器を収納するガバナボックスに関する。
【背景技術】
【０００２】
ガス整圧器は、需要家に安定した状態のガスを供給するための減圧装置であり、一次側圧力又は需要量の変動があっても二次側圧力を所定範囲に保持する機能が要求される。そして、ガス整圧器の整圧機能が不調になると、二次側圧力の異常上昇、異常低下又は急激な変動が起こって、ガス供給の支障原因となるとともに、その影響は広範囲に及ぶ。このような重要なガス供給施設であるガス整圧器の機能を維持し、不調を未然に防止するために、メンテナンス作業として、１ケ月に１回行う圧力計巡回点検、１年に１回行うガバナ施設点検、６年に１回行うガバナ分解点検が実施されている。
【０００３】
またガス整圧器は、安全対策、保守、管理等の観点から専用のガバナボックスに収納されることが義務付けられている（特許文献１参照）。
【０００４】
【特許文献１】特開２００２−７０１７１号公報
【発明の開示】
【発明が解決しようとする課題】
【０００５】
このようなガバナボックスは、一般的に開閉可能な扉を有し、ガバナボックスの後面が需要家の敷地内の建物、植え込み、塀等に近接配置されるような狭い場所に設置される場合が多い。このため、このように設置されたガバナボックスの後面に設けられた扉を開けようとすると、扉が建物等に当接して扉を十分に開けることができず、ガス整圧器の後側からガス整圧器のメンテナンス作業を行うことができない。そこで、ガバナボックスを設置した基台からガバナボックスを取り外せば、ガス整圧器全体が露出してガス整圧器の後側に大きな空間部が形成されて、この空間部を介してガス整圧器を後側からメンテナンス作業をすることが可能になる。しかしながら、ガバナボックスは比較的形状が大きいので、複数の作業者でなければガバナボックスの取り外しは困難であり、この取り外し作業に多くの労力が必要になるという問題が生じる。
【０００６】
本発明は、少ない労力で、後面が建物等に近接して設置されたガバナボックスの後側からガス整圧器のメンテナンス作業を行うことができるガバナボックスが要求されており、このような要求に応えるガバナボックスを提供することを目的とする。
【課題を解決するための手段】
【０００７】
このような課題を解決するために、本発明のガバナボックスは、基台上に設置されたガス整圧器の周囲を囲むサイドパネル及び該ガス整圧器の上部を覆うルーフパネルを有してガス整圧器を収納するガバナボックスであって、サイドパネルの内側に上下方向に伸縮可能に取り付けられた伸縮アクチュエータを備え、該伸縮アクチュエータによってガバナボックスを上昇させてガス整圧器の前後左右のいずれかの面を露出させることを特徴とする。
【０００８】
この発明によれば、サイドパネルの内側に上下方向に伸縮する伸縮アクチュエータを設け、この伸縮アクチュエータによりガバナボックスを上昇させてガス整圧器の前後左右のいずれかの面を露出させることにより、ガス整圧器のいずれかの側面を露出することができ、その結果、ガバナボックスの後側のサイドパネルを建物等に近接配置したガバナボックスが設置されている場合、このガバナボックスを設置位置から上昇させるだけで、ガス整圧器の後方側に空間部を形成して、この空間部を介して、ガス整圧器の後側からガス整圧器のメンテナンス作業を行うことが可能になる。また、サイドパネルの上昇は伸縮アクチュエータによって行われるので、サイドパネルを上昇させるための作業者の労力の負担を軽減することができる。
【０００９】
また本発明は、サイドパネルのうちガス整圧器の前面に対向配置されるフロントパネルが、該ガス整圧器の側面に配置されるサイドパネルに着脱可能に取り付けられ、ガバナボックスを上昇させるときにはフロントパネルはサイドパネルから取り外されることを特徴とする。
【００１０】
この発明によれば、ガス整圧器の前面に対向配置されるフロントパネルを、該ガス整圧器の側面に対向配置されるサイドパネルに着脱可能に取り付け、ガバナボックスを上昇させるときにはフロントパネルをサイドパネルから取り外すことにより、ガバナボックスの前面側に大きな開口部を形成することができ、ガス整圧器の前側からのメンテナンス作業を容易にすることができるとともに、作業者がガバナボックスの前側に形成された開口部を介してガス整圧器のメンテナンス作業を行う場合に、ガバナボックスの支持が不安定になってもルーフパネルが作業者に接触する虞を少なくすることができる。その結果、作業者はガバナボックスに気を取られることなくメンテナンス作業に集中することができ、前側からのガス整圧器のメンテナンス作業の作業性を向上させることができる。
【００１１】
また本発明に係わる伸縮アクチュエータは、エアシリンダであることを特徴とする。
【００１２】
この発明によれば、伸縮アクチュエータをエアシリンダで構成することにより、ガス整圧器に供給されるガスを利用することで、エアシリンダを容易に伸縮させることができる。このため、エアシリンダを駆動させるための設備のコストを安価にすることができる。
【発明の効果】
【００１３】
本発明に係わるガバナボックスによれば、サイドパネルの内側に上下方向に伸縮する伸縮アクチュエータを設け、この伸縮アクチュエータによりガバナボックスを上昇させてガス整圧器の前後左右のいずれかの面を露出させることにより、ガス整圧器のいずれかの側面を露出することができ、その結果、ガバナボックスの後側のサイドパネルを建物等に近接配置したガバナボックスが設置されている場合、このガバナボックスを設置位置から上昇させるだけで、ガス整圧器の後方側に空間部を形成して、この空間部を介して、ガス整圧器をその後側からメンテナンス作業をすることができる。また、サイドパネルの上昇は伸縮アクチュエータによって行われるので、サイドパネルを上昇させるための作業者の労力の負担を軽減することができる。
【発明を実施するための最良の形態】
【００１４】
以下、本発明に係わるガバナボックスの好ましい実施の形態を図１から図３に基づいて説明する。ガバナボックス１は、図１（ａ）（斜視図）及び図１（ｂ）（正面図）に示すように、基台８０の上部に設置されたガス整圧器９０を収納するものであり、下部が開口して有頂箱状に形成されている。ガバナボックス１は、ガス整圧器９０の前後左右の側面を囲む複数のサイドパネル３，４，５，６と、これらのサイドパネル３，４，５，６の上部に接続されてガス整圧器９０の上部を覆うルーフパネル１０とを有してなる。サイドパネル３，４，５，６は長方形状であり、平面視においてこれらのサイドパネル３，４，５，６は矩形状に配置されている。
【００１５】
サイドパネル３，４，５，６のうちガス整圧器９０の前側に対向配置されたサイドパネル（以下、フロントパネル６と記す。）は、ガス整圧器９０の側面に対向配置されたサイドパネル５に着脱可能に取り付けられている。さらに詳細には、フロントパネル６は、サイドパネル５に取り付けられたヒンジ１３を介して開閉自在に支持されている。ヒンジ１３は、一対の板状部材１３ａ，１３ｂを有してなり、一方の板状部材１３ａには上下方向に延びる軸部(図示せず)が設けられ、他方の板状部材１３ｂには上下方向に延びる孔部(図示せず)が設けられ、軸部の下部には孔部の下方への移動を規制する段部(図示せず)が設けられている。軸部に孔部を挿着することにより、一対の板状部材１３ａ，１３ｂを互いに回動自在に連結するとともに、孔部の下部が段部に当接して他方の板状部材１３ｂを一方の板状部材１３ａに支持することができる。また、軸部から孔部を抜脱することで、一対の板状部材１３ａ，１３ｂを分離した状態にすることができる。つまり、フロントパネル６は、ヒンジ１３を介してサイドパネル５に対して回動可能で且つ着脱自在である。フロントパネル６が閉じられると、ガバナボックス１の前側に開口する開口部１５はフロントパネル６によって覆われる。
【００１６】
ガバナボックス１の前側に開口する前述した開口部１５は矩形状に形成されてガス整圧器９０の前側を露出する。この開口部１５はガバナボックス１の下端部から上端部まで延びている。サイドパネル３，４，５，６によって囲まれたガバナボックス１の内側の各隅部には、近接するサイドパネル３，４，５に固定されて上下方向に延びるエアシリンダ３０，３１，３２，３３が設けられて、ガバナボックス１の強度が高められている。
【００１７】
サイドパネル３，５の下端部には、サイドパネル３，５を基台８０に接続状態及び非接続状態にする連結装置２５が設けられている。連結装置２５はサイドパネル側に設けられた係止部(図示せず)と、基台側に設けられて係止部に係合可能な係合部(図示せず)とを有し、係合部を係止部に係止することで、サイドパネル１を基台８０に接続することができ、係止部と係合部との係合状態を解除することで、サイドパネル１を基台８０から分離することができる。
【００１８】
図２（ａ）（断面図）及び図２（ｂ）（断面図）に示すように、ガバナボックス１の内側に配設されたエアシリンダ３０，３１，３２，３３は単動式であり、シリンダチューブ３０ａ，３１ａ，３２ａ，３３ａにシリンダロッド３０ｂ，３１ｂ，３２ｂ，３３ｂが突出入するように構成されている。エアシリンダ３０，３１，３２，３３はシリンダチューブ３０ａ，３１ａ，３２ａ，３３ａがサイドパネル３，４，５に固定されてシリンダロッド３０ｂ，３１ｂ，３２ｂ，３３ｂが基台側に延びるように配置されている。シリンダロッド３０ｂ，３１ｂ，３２ｂ，３３ｂの先端部は基台８０の上面に当接可能に配置されている。このため、エアシリンダ３０，３１，３２，３３が伸長してシリンダロッド３０ｂ，３１ｂ，３２ｂ，３３ｂの先端部が基台８０の上面に当接すると、ガバナボックス１を上昇させることができる。
【００１９】
これらのエアシリンダ３０，３１，３２，３３のシリンダチューブ３０ａ，３１ａ，３２ａ，３３ａは、ルーフパネル１０の裏面に取り付けられた連通管３７を介して連通している。このため、４つのエアシリンダ３０，３１，３２，３３のいずれかに気体を供給すると、気体は連通管３７を通って他のエアシリンダのシリンダチューブ内に供給されて、４つのエアシリンダ３０，３１，３２，３３を同時に伸長させることができる。
【００２０】
エアシリンダ３０，３１，３２，３３には、ストッパ部材(図示せず)が設けられており、このストッパ部材は、エアジャッキ３０，３１，３２，３３が所定の長さに伸長すると、シリンダロッド３０ｂ，３１ｂ，３２ｂ，３３ｂがシリンダチューブ３０ａ，３１ａ，３２ａ，３３ａ側に縮小しないように構成されている。
【００２１】
次に、このように構成されたガバナボックス１によって収容されたガス整圧器９０のメンテナンス作業を行う場合のガバナボックスの動作について説明する。先ず、図１（ｂ）に示すように、フロントドア６を開けてサイドパネル５から取り外し、図１（ａ）に示す連結装置２５を操作して、ガバナボックス１と基台８０を非接続状態にする。そして、図２（ｂ）及び図３（ａ）に示すように、開口部１５の近傍位置に配置されたエアシリンダ３０のシリンダチューブ３０ａに設けられた注入口に接続されたバルブ(図示せず)にガスホース５０の一端側を接続し、このガスホース５０の他端側をガス取り出し孔(図示せず)に接続して、ガスホース５０を介してガスをエアシリンダ３０に注入する。エアシリンダ３０にガスが注入されると、ガスは図２（ａ）に示す連通管３７を通って他のエアシリンダ３１，３２，３３に供給され、これらのエアシリンダ３０，３１，３２，３３のシリンダチューブ３０ａ，３１ａ，３２ａ，３３ａ内のガス圧が所定値を超えると、これらのエアシリンダ３０，３１，３２，３３は同時に伸長する。その結果、図３（ｂ）に示すように、ガバナボックス１は上昇してガス整圧器９０の前後左右のいずれの面をも露出させることができる。そして、ストッパ部材によってエアシリンダ３０，３１，３２，３３が縮小するのを規制する。
【００２２】
従って、ガス整圧器９０の側面全体を露出することができ、ガバナボックス１の後側のサイドパネルが建物等に近接した位置に配置されている場合でも、このガバナボックス１を設置位置から上昇させるだけで、ガス整圧器９０の後方側に空間部を形成して、この空間部を介して、ガス整圧器９０をその後側からメンテナンス作業をすることができる。また、ガバナボックス１の上昇はエアシリンダ３０，３１，３２，３３によって行われるので、ガバナボックス１を上昇させるための作業者の労力の負担を軽減することができる。
【００２３】
またガバナボックス１を上昇させるときには、フロントパネル６はサイドパネル５から取り外されているので、ガバナボックス１の前面側に開口部１５を開口させることができる。このため、ガス整圧器９０の前側からのメンテナンス作業を容易にすることができるとともに、作業者がこの開口部１５を介してガス整圧器９０のメンテナンス作業を行う場合に、ガバナボックス１の支持が不安定になってもルーフパネル１０が作業者に接触する虞が少なくなり、その結果として作業者はガバナボックス１に気を取られることなくメンテナンス作業に集中することができ、前側からのガス整圧器９０のメンテナンス作業の作業性を向上させることができる。
【００２４】
またガバナボックス１を昇降させるアクチュエータはエアシリンダ３０，３１，３２，３３であるので、ガス整圧器９０に供給されるガスを利用することで、エアシリンダ３０，３１，３２，３３を容易に伸縮させることができる。このため、エアシリンダ３０，３１，３２，３３を駆動させるための設備のコストを安価にすることができる。
【００２５】
一方、上昇したガバナボックス１を降下させるには、ストッパ部材を取り外してエアシリンダ３０，３１，３２，３３を縮小可能状態にし、そして、バルブの開度を徐々に上げてエアシリンダ３０，３１，３２，３３内のガスを排出する。その結果、エアシリンダ３０，３１，３２，３３は縮小してガバナボックス１は降下する。そして、ガスを注入したエアシリンダ３０と異なる他のエアシリンダに空気を注入してエアシリンダ内のガスを空気に置換して、ガバナボックス１の降下作業を終了する。
【００２６】
なお、前述した実施例では、伸縮アクチュエータにエアシリンダを用いた例を示したが、油圧シリンダ、電動シリンダ等を用いてもよく、これらの場合にもエアシリンダを用いた場合と同様の効果（労力の軽減、ガバナボックス１の後側からガス整圧器９０のメンテナンス作業を可能にすること）を得ることができる。
【図面の簡単な説明】
【００２７】
【図１】本発明の一実施の形態に係わるガバナボックスを示し、同図（ａ）はガバナボックスの前側斜視図であり、同図（ｂ）はフロントパネルが開いた状態のガバナボックスの正面図である。
【図２】ガバナボックスの断面図を示し、同図（ａ）は図１（ｂ）のＩａ−Ｉａ矢視に相当するガバナボックスの断面図であり、同図（ｂ）は図１（ｂ）のＩｂ−Ｉｂ矢視に相当するガバナボックスの断面図である。
【図３】ガバナボックスの動作を説明するための正面図を示し、同図（ａ）はガバナボックスによってガス整圧器が収納された状態を示し、同図（ｂ）はガス整圧器が露出された状態を示す。
【符号の説明】
【００２８】
１  ガバナボックス
３，４，５  サイドパネル
６  サイドパネル、フロントパネル
１０  ルーフパネル
３０，３１，３２，３３  エアシリンダ（伸縮アクチュエータ）
８０  基台
９０  ガス整圧器
【図１】
2006322647.tif 000003
【図２】
2006322647.tif 000004
【図３】
2006322647.tif 000005